(57)【特許請求の範囲】
【請求項１】
１つの転動部と、
転動軸を介して転動部に装架された本体フレームと、
本体フレームに一端を固定され本体フレームと一体化された支柱と、
支柱を中央にしてその両側に開閉自在に開杆するノズル付噴霧杆であって、薬液供給装置から供給される薬液の供給ホースに接続されてノズルから薬液を噴霧するノズル付噴霧杆と、
機体全体を１つの転動部に支持させた状態で機体全体を立位で取り扱い移動可能なように、噴霧杆を格納閉着させて支柱と平行な状態で形成される機体全体の直状体構造と、を備え、
支柱の長手方向に設けたガイドに沿って支柱の長手方向に移動する操作子を介して噴霧杆を開閉操作する開閉操作機構を備えたことを特徴とする噴霧機。
【請求項２】
転動部近傍に支柱の長手方向と所要角度で突設され直状体を起立させた状態で保持させるスタンドが設けられていることを特徴とする請求項１記載の噴霧機。
【請求項３】
支柱の他端には、１つの転動部に下端側を支持させ機体全体を傾斜させた状態で把持して機体全体を手動牽引可能なハンドルが設けられていることを特徴とする請求項１又は２記載の噴霧機。
【請求項４】
噴霧杆はその長手軸回りに回動可能に固定されることを特徴とする請求項１ないし３のいずれかに記載の噴霧機。
【請求項５】
転動部は一輪車で形成されていることを特徴とする請求項１ないし４のいずれかに記載の噴霧機。
【請求項６】
支柱は長手方向中間位置で少なくとも作業者側の立ち位置側に上部側を屈曲固定自在に設けたことを特徴とする請求項１ないし５のいずれかに記載の噴霧機。
【発明の詳細な説明】
【技術分野】
【０００１】
本発明は、農作物の防除作業、液肥の施肥作業等に用いられる薬液等の噴霧機であり、特に、農業用ハウス内散布等に用いて好適な噴霧機に関する。
【背景技術】
【０００２】
従来、小規模あるいは中規模の広さの農耕地での農作物の防除においては、例えば、薬液タンクを作業者が背負って噴霧杆を把持し噴霧杆に取り付けられた複数のノズルから薬液を噴霧する方法、薬液タンク及び圧送ポンプを車輪付き機体に搭載し噴口を有する長管から薬液を噴霧させる方法などが一般に知られている。これらの作業では、噴霧作業する作業者の労力軽減、狭小の畝幅の畝内の移動、操作の簡易性、低コストであること、などが噴霧機選択の要素となる。ところで、農業用ハウス内で栽培される農作物用の薬液散布に際しては、上記のタンク背負い式の噴霧機による場合、例えば短辺長さ６メートル、長辺長さ１００メートル程度のハウス内での散布では手動圧縮では現実にはそのような広い面積への作業は困難である。また、薬液タンク、圧送ポンプをハウス外に設置し、ホースにより薬液供給しながら噴霧する方法が考えられるが、この場合、作業者が片持ち状に噴霧杆の一端を把持し、伸ばした他端側のノズルから噴霧させることになる。そして、畝の往復歩行時に片側の作物栽培区画づつについて噴霧作業を行なうから、例えば１００メートルの復路の噴霧作業時には既に噴霧を終えた往路時の区画側に散布した薬液が復路側区画に漂流する結果、多量の農薬を吸引しながらの作業となり人体への悪影響を生じさせるおそれがある。また、噴霧杆の片持ち支持状態で長時間の作業を強いられるから、重労働となっていた。また、薬液タンク及び圧送ポンプを車輪付き機体に搭載し噴口を有する長管から薬液を噴霧させるものの例として特許文献１の薬液噴霧車が開示されている。
【先行技術文献】
【特許文献】
【０００３】
【特許文献１】特開２００２−３４４２３号公報
【発明の概要】
【発明が解決しようとする課題】
【０００４】
特許文献１の薬液噴霧車では、作業者が噴霧杆を把持するための労力はなくなり、また、薬液の管理などがしやすくなるが、エンジンやモータの駆動源、ポンプ、薬液タンク、機体などにより、全体装置重量が大きくなり装置を前進、後進移動させるのに作業者は大きな労力を要するばかりか、機体全体が大型となり、小さくて狭いハウスの出入り口の出入りや狭小な畝幅の畝の前後進移動が困難であるという問題がある。また、実際の畝での機体の移動時には微妙な軌道修正や方向の変更が必要であるが、特許文献１の薬液噴霧車では、重すぎて作業者は簡単に軌道修正や方向の変更ができず、一見楽そうに見えるが、実際には、小回りが利かない。さらに、コスト高である、という問題があった。
【０００５】
本発明は上記従来の課題に鑑みてなされたものであり、その目的は、簡単な構成で軽量かつ小型であり、しかも微妙な移動方向の修正、変更、転回動作を労力を要することなく簡単に行なえ、さらに噴霧作業時の薬液等の吸引を少なくして人体への影響を小さなものとすることのできる噴霧機を提供することにある。
【課題を解決するための手段】
【０００６】
上記課題を解決するために本発明は、１つの転動部２と、転動軸１６を介して転動部２に装架された本体フレーム４と、本体フレーム４に一端を固定され本体フレームと一体化された支柱３と、支柱３を中央にしてその両側に開閉自在に開杆するノズル５付噴霧杆６であって、薬液供給装置から供給される薬液の供給ホース３４に接続されてノズル５から薬液を噴霧するノズル付噴霧杆６と、機体全体を１つの転動部２に支持させた状態で機体全体を立位で取り扱い移動可能なように、噴霧杆６を格納閉着させて支柱３と平行な状態で形成される機体全体の直状体構造７と、を備え、支柱３の長手方向に設けたガイド２８に沿って支柱３の長手方向に移動する操作子３２を介して噴霧杆６を開閉操作する開閉操作機構８を備えた噴霧機１から構成される。噴霧機は単に移動させるときは、噴霧杆を格納閉着させて機体全体を直状体とした状態で移動させる。したがって、狭い出入り口も農業用ハウスのビニル被覆体などを破らずに簡単に出入りさせることができる。にもかかわらず、支柱の両側に開閉する噴霧杆を備えているから農業用ハウスの終端まで機体を移動し、畝の復路移動時にのみ噴霧杆を開いて両側の栽培区画に対して同時に薬液噴霧させる。したがって、作業者は直接に農薬等を吸引することはなく、人体への影響を少なくすることができる。薬液タンク、原動機、ポンプは搭載せず、さらに１つの転動部での立位で移動するから、作業者への機体移動時の負荷は極めて少なく、機体の方向変更、修正、転回等も簡単かつ自在に行なえる。さらに、他の棟のハウスへの移動も簡単である。本体フレームや支柱は金属、軽金属で構成することもできるが、合成樹脂プラスチック、ＦＲＰ材などで構成して軽量化を図ることもできる。また、支柱３の長手方向に設けたガイド２８に沿って支柱３の長手方向に移動する操作子３２を介して噴霧杆６を開閉操作する開閉操作機構８を備えると、立位で機体を移動し噴霧杆を開いて噴霧作業を行なうときに無理のない姿勢で楽に噴霧杆を開く作業を行なえる。噴霧杆の開閉駆動機構は、モータ駆動などとしても良いが、軽量、低コストのためには、リンク機構などを用いるのが好ましい。
【０００７】
その際、転動部２近傍に支柱３の長手方向と所要角度で突設され直状体（７）を起立させた状態で保持させるスタンド２２を設けると良い。スタンドは本体フレームに対してヒンジやばねなどを用いて起立、倒伏自在とすることもできるが、固定的に所定角度で取り付けても良い。板材、線条材などを用いることができるが、軽量化のためには線条材を用いて形成するとよい。
【０００８】
また、支柱３の他端には、１つの転動部２に下端側を支持させ機体全体を傾斜させた状態で把持して機体全体を手動牽引可能なハンドル３３が設けられるとよい。具体的なハンドル形状は環状、ブロック状、Ｔ字杆状など任意に構成できる。指型の凹部をグリップ部分に設けても良い。
【０００９】
また、噴霧杆６はその長手軸回りに回動可能に固定されるようにしてもよい。支柱から両側に開いた噴霧杆のノズルの噴霧放射角度を調整するから、作業時に最も作業者に薬液噴霧が被着しにくい角度を自在に設定することができる。
【００１０】
また、転動部２は一輪車で形成されているとよい。転動部自体は、複数輪を密着並列させた転動輪でもよいが、一輪車とするのが軽量化、小回りの利き方などの点で優れる。
【発明の効果】
【００１１】
本発明に係る噴霧機によれば、１つの転動部と、転動軸を介して転動部に装架された本体フレームと、本体フレームに一端を固定され本体フレームと一体化された支柱と、支柱を中央にしてその両側に開閉自在に開杆するノズル付噴霧杆であって、薬液供給装置から供給される薬液の供給ホースに接続されてノズルから薬液を噴霧するノズル付噴霧杆と、
機体全体を１つの転動部に支持させた状態で機体全体を立位で取り扱い移動可能なように、噴霧杆を格納閉着させて支柱と平行な状態で形成される機体全体の直状体構造と、を備えた構成であるから、簡単な構成で軽量かつ小型であり、しかも微妙な移動方向の修正、変更、転回動作を労力を要することなく簡単に行なえ、低コストであり、さらに噴霧作業時の薬液等の吸引を少なくして人体への影響を小さなものとすることができる。
【００１２】
また、転動部近傍に支柱の長手方向と所要角度で突設され直状体を起立させた状態で保持させるスタンドを設けることにより、特に、立位移動時のハウス出入り口や畝等の狭小スペースで寸時停止させて再移動するときや、寸時自立させて他の作業を行なうときなどにおいて、取扱利便性を向上し実用的である。
【００１３】
また、支柱の他端には、１つの転動部に下端側を支持させ機体全体を傾斜させた状態で把持して機体全体を手動牽引可能なハンドルが設けられた構成とすることにより、支柱の上部を作業者が把持して立位で機体移動、方向制御などを簡単に行なえる。また、農業用ハウス内での復路噴霧作業時に機体を後ろ手で把持して牽引するときに作業者が安定して支柱上端部を把持することができる。
【００１４】
また、噴霧杆はその長手軸回りに回動可能に固定された構成とすることにより、支柱から両側に開いた噴霧杆のノズルの噴霧放射角度を調整し、作業時に最も作業者に薬液噴霧が被着しにくい角度を自在に設定することができる。
【００１５】
また、支柱の長手方向に設けたガイドに沿って支柱の長手方向に移動する操作子を介して噴霧杆を開閉操作する開閉操作機構を備えた構成とすることにより、立位で機体を移動し噴霧杆を開いて噴霧作業を行なうときに無理のない姿勢で楽に噴霧杆を開く作業を行なえる。
【００１６】
また、転動部は一輪車で形成することにより、機体全体が軽量化し、機体の操作や動きの制御が簡単で軽易であるとともに、小回りが利いて実用性が高くなる。
【図面の簡単な説明】
【００１７】
【図１】本発明の第１実施形態に係る噴霧機の噴霧杆を格納閉着した状態の正面図である。
【図２】図１の噴霧機をスタンドを利用して自立させた状態の右側面図である。
【図３】図１の噴霧機の噴霧杆を開いた状態の右側面図である。
【図４】図３の噴霧機を正面側から見た図である。
【図５】図４の噴霧機を背面側から見た図である。
【図６】図１の噴霧機の開閉駆動機構部分の拡大作用正面説明図である。
【図７】図１の噴霧機の開閉駆動機構部分の拡大作用背面説明図である。
【図８】図４のＡ−Ａ線矢視図である。
【図９】図４のＢ−Ｂ線矢視図である。
【図１０】図１の噴霧機の噴霧杆を開いて薬液を噴霧している状態を示す作用説明図である。
【図１１】図１の噴霧機を用いた作業状態を示す概略説明図である。
【図１２】本発明の第２実施形態に係る噴霧機の作用説明を兼ねた側面説明図である。
【発明を実施するための形態】
【００１８】
次に、本発明の第１実施形態に係る噴霧機について図１〜図１１を参照して説明する。本発明の噴霧機は、農作物の防除用の薬液や液肥の施肥等に用いられる噴霧機であり、薬液供給装置からの薬液を供給する供給ホースに接続されて用いられる。
【００１９】
図１，２において、本実施形態の噴霧機１は、１つの転動部２と、支柱３と、転動部２に装架された本体フレーム４と、支柱の両側に展開格納自在に設けられたノズル５付き噴霧杆６と、機体全体の直状体構造７と、を備えている。すなわち、実施形態の噴霧機１は、薬液タンクやポンプ、原動機を備えておらず、転動部２以外では支柱３と、本体フレーム４と、噴霧杆６と、のみを有する構成である。このため、全体重量は、軽量でしかも立位は縦長で平面視では例えば特許文献１等の装置に比較して極めて小型である。ここで、直状体構造７とは、機体全体を１つの転動部２に支持させた状態で機体全体を立位で取り扱い移動可能なように、噴霧杆６を格納閉着させて支柱３と平行な状態で形成される機体全体の構造である。支柱は、後述するように一部を屈曲させて用いる場合も支柱の主要部分が噴霧杆６の格納閉着時に支柱３と平行な状態で形成されるものであれば、直状体構造７である。
【００２０】
転動部２は、機体移動時に唯一の接地移動走行部となる転動手段であり、その際、図１１に示すように作業者と分担して機体全体を支持する。実施形態において、転動部２は、ハブ１０にタイヤ１２を装着した一輪車としての転動輪１４で形成されている。転動部２は、必ずしも一輪車に限定されるものではなく、２個あるいはそれ以上の転動輪を密接し同軸で連結させるようにしてもよいが、一輪車とすると小回りが利き、微妙な走行方向の修正や変更、転回を簡単に行なえるだけでなく、軽量で機体全体の取扱が楽である。また、転動部はタイヤ付き車輪でなくともホイールのみのものでもよい。
【００２１】
本体フレーム４は、転動部２で接地側を転動自在としつつ支柱３や噴霧杆６等を転動部２に装架させる基台であり、実施形態では、転動輪１４の転動軸１６を介して転動部２に架設されている。詳細には、図１，３に示すようにハブの軸受の軸孔を貫通して両端をハブ１０から突設させて転動軸１６が取り付けられており、本体フレーム４は転動輪１４の上半部を非接触で跨るように設けた逆Ｕ字板部１８と、逆Ｕ字板部１８の上面に水平状に固定された平坦部２０と、を含む。本体フレーム４は例えば鉄あるいはステンレス、その他の金属あるいは合成樹脂プラスチック等から構成されている。
【００２２】
この本体フレーム４は、図１，３に示すように、タイヤ直径より充分に狭い幅の板材を逆Ｕ字形状に成形したものでよく、小型で構成できる。実施形態において、本体フレーム４には立位用スタンド２２が取り付けられている。立位用スタンド２２は、噴霧杆６を閉着して噴霧機を立てて直状体とした状態で自立させて仮置きする際などに使用される立位姿勢支持手段であり、実施形態では、本体フレーム４の逆Ｕ字の両側壁４ａ、４ｂがそれぞれ半径方向に伸びて中心位置で転動軸１６を軸支しており、この半径方向から直角状、すなわち、支柱３の長手方向に対して直角状に立位用スタンド２２が突設して取り付けられている。立位用スタンドの突設方向は支柱３の長手方向に対して直角でなくともよく、機体を傾斜状態として転動輪とともに立位支持可能な任意の角度で取り付けても良い。この立位用スタンド２２は、実施形態では変形四角枠のループを形成する金属線条で形成されて軽量化が図られている。立位用スタンド２２は、機体全体を立位支持する場合には、図２に示すようにスタンドの突設端側を接地し、機体をスタンドの突設端側に傾斜させた状態で支持し、このとき、スタンドの突設端部と転動輪１４とで荷重を分担支持する。また、本体フレーム４の逆Ｕ字板部１８及び、立位用スタンド２２には、薬液供給ホースの中途部を装着離脱自在に仮止めする仮止め部材２４ａ、２４ｂが取り付けられており、薬液供給装置６０に接続されて薬液を装置から離隔した場所に供給する薬液供給ホースの端部寄り側を仮止めして取りまとめしやすくしている。ちなみに、本体フレーム４の逆Ｕ字板部１８にはフック状の、また、立位用スタンド２２の先端側にはリング状の仮止め部材２４ａ、２４ｂが固定されている。
【００２３】
支柱３は、転動輪から一方向に伸びて機体の中央に設置され噴霧杆の格納展開支持を行なうとともに、その把持、手動操作で機体全体の移動や立位保持を制御する本体骨組みをなす一方向に長い軸体から構成されている。実施形態において、支柱３は、下端を本体フレーム４の平坦部２０に平坦面に対して直角方向に長手方向を設定し例えば三角形アングル部材などを用いてビス止め固定されている。支柱３は図８に示すように、例えば角棒状のアルミニウム型材で形成されており、その長手方向に長溝２６からなるガイド２８が形成されている。ガイド２８は、長溝の構成に限ることなく、レールに装架されて移動する転動体の構成とすることもできる。実施形態において、ガイド２８にはその長溝２６にスライド自在にスライド部材としてのロッド３０が配置されており、そのロッド３０の上端部にノブなどの操作子３２が作業者の操作側に向けて取り付けられている。ガイド２８とロッド３０とで噴霧杆の開閉移動を操作する開閉操作機構８を構成する。開閉操作機構８は、開閉駆動機構９と連動して噴霧杆６を開閉移動させる。また、支柱３の上端側には、作業者が把持するためのハンドル３３が取り付けられている。ハンドル３３は、１つの転動部２２に下端側を支持させ機体全体を傾斜させた状態で把持して転動部と作業者で分担して荷重を支持しながら機体全体を移動させる把持部であり、特に、本発明の噴霧機１では、作業者が噴霧機１を引きながら噴霧作業することにより、噴霧薬液を直接吸引することがほとんどなくなり、作業環境を大幅に改善させることができる。
【００２４】
噴霧杆６は、その長手方向離隔位置に複数の噴射ノズル５を取り付けて薬液を周囲に噴射させる噴射手段であり、実施形態では下端基部が開閉駆動機構９に連結されて上端側（他端側）をそれぞれ図１の状態から図４，５の状態に扇形状に変位させるように開閉する。噴霧杆６は中空の直状管であり、下端側には薬液供給ホース３４に接続される接続ホース３４Ａに、図示しない止め環などで連結されている。噴射ノズル５は、図９に示すようにそれらの射出方向が相互に所要の角度θを形成するように交互に拡大方向となるように設定されている。実施形態において、噴霧杆６の基部は、図６に示すように、鉛直方向とその位置から互いに外側方向に開いた位置との往復ａ動作を行なう第１リンクアーム３６に連結されている。第１リンクアーム３６には、挟持部材３８ａ、３８ｂが締め付け開放自在に設けられており、この締め付け開放を操作する操作レバー４０を介して噴霧杆６はその長手軸回りに回動調整可能に取り付けられている（図７参照）。これによって、噴霧杆６を長手軸周りに回動させることにより、噴射角θでの放射方向を調整することができ、噴霧機１を引きながら薬液噴霧させるときに、作業者にかかりにくい角度を任意に設定して噴霧作業を行なうことができる。
【００２５】
噴霧杆６は、開閉駆動機構９を介して直接的には開閉駆動される。本実施形態において、支柱３の下端寄り位置には支柱３と直交して水平方向に基板４２が固定されている。開閉駆動機構９は、基板４２の両端に下端を枢支４４されて上端側を鉛直方向と外側９０度方向に扇形状に往復回動する第１リンクアームと３６と、第１リンクアーム３６の上端側に一端（下端）を枢支４６されて、他端（上端）をスライドロッド３０の下端に枢支４８されてスライドロッド３０の上下動により直線状に上下動する第２リンクアーム５０と、をそれぞれ左右対称に備えている。両方の第２リンクアーム５０の上端とスライドロッド３０の下端側の枢支部４８とは共通軸で枢支されている。両第２リンクアーム５０は噴霧杆６が格納されて閉着状態、すなわち支柱３と平行となって機体が直状体となっているときには、逆Ｖ字状に形成されているが、枢支部４８がガイド２８に沿って図１状態から下降し図６のように最大角度（例えば１３０度程度）で噴霧杆６が開放した状態で水平方向に直線状態に変位する。これによって、図６に示すように、操作子３２を上下動させることにより、噴霧杆６を開閉自在に操作することができ、操作者は立ったままの楽な姿勢で手元を軽く上下動させるだけで任意の開度に噴霧杆６を開放設定させることができる。図５〜図８において、操作子３２の突出側と逆側となる背面側において、左右両方の第１リンクアームのそれぞれ上端側に両端を連結した付勢ばね５２が第１リンクアーム上端を互いに引き付ける方向に付勢して設けられており、これによって、操作者による操作子３２のノブを上下動させるときに、軽い操作で楽に作動させることができる。
【００２６】
なお、図１，４中５４は、ハンドル３３の固定金具、５５は、薬液供給ホース３４を支柱に沿って係止する係止部材であり、長く引きずられながら作業が進められる薬液供給ホースをまとめて作業者の動きや機体の移動の際に邪魔にならないようにする。また、本実施形態では、薬液供給ホース３４に連結離脱自在に接続ホース３４Ａが設けられており、その端部にコネクタ３５が取り付けられて本体ホース３４とワンタッチで接続、分離できる二様になっている。また、５６は、基板４２を支柱３に沿って上下動させ植物の成長高さに応じて噴霧位置を上下調整させる際のロックレバーである。
【００２７】
次に、実施形態の噴霧機１の作用について説明すると、農業用ハウス（図１１参照）１００の外部に原動機、ポンプ、薬液タンクを設置し、ポンプに一端を接続した薬液供給ホース３４の端部を図示しない開閉コック付きアタッチメントを介して接続ホース３４Ａに連結する。噴霧機１は、例えばスタンド２２を用いて立位とし噴霧杆６を閉着して直状体とさせる。そして、作業者は、前面側ＦＲ側に対面し、背面側ＲＥを前方にしてハンドル３３を把持して機体を例えば傾斜した立位で軽く押しながら農業用ハウス内に進入する。農業用ハウスは、例えば２層ないし３層の断熱層を形成するために、近時、３層ないし４層の被覆ビニルを張設しており、出入り口は観音開き式に押し開き出入する形式で、進入口は極めて狭く、ビニルであるから破れやすい。作業者Ｍは、ビニルを破らないようにハウス内に機体を進入させ、噴霧機１を若干斜めに傾けた状態で機体を押しながらハンドル操作し、そのまま畝幅ｈがたとえば３０ｃｍ程度の狭小路を機体を押送しながら背面側ＲＥを前方にしてハウスの例えば１００メートル先の終端まで進む。ハウスの行き止まりである終端位置で例えばスタンド２２を利用して立位静止させ、その状態で操作子３２を緩める方向に回してロック解除して下方に直線状に引き下げる。これによって、リンク機構からなる開閉駆動機構９が作動し、噴霧杆６を図４，５のように拡開させる。その状態で、手元スイッチとしての開閉コックを操作して薬液圧送状態とすると、図１０に示すように、噴霧杆６のノズル５から放射状にハウス内に噴霧される。このとき、畝の両側の栽培区画Ｐに同時に放射状に噴霧される。この状態で作業者Ｍは、前面側ＦＲに機体を傾斜させ（図２の倒れ方向と逆方向）例えば作業者は後ろ手にして機体を牽引しながら畝の通路を復路方向に戻る。転動部２は一輪車でも噴霧杆６を開いて支柱３の両側に等しい長さで噴霧杆の先端を伸ばしているから左右バランスがとれて安定して機体を後ろ向きに引っ張っても移動させることができる。このように、薬液噴霧は、ハウス内の畝の通路の復路を歩くときについてのみ、行なう。したがって、作業者の進行方向には農薬等の薬液のガスは存在しないから、これらを作業者が吸引することなく、身体への影響を極力なくすることができる。また、機体の全体荷重は動力や薬液タンクを搭載しないから極めて軽量で、例えば７キログラム以下程度で構成することができる。さらに、ハウス内への出入りが楽で、ビニルを傷つけることがなく、さらに、ハウス内での進路変更、転回などの操作も極めて軽易に行なうことができる。
【００２８】
図１２は、本発明の噴霧機の第２実施形態を示しており、第２実施形態の噴霧機１−２では、支柱３が長手方向中間位置に設けた屈曲部７０を介して前面ＦＲ側にＬ字状に屈曲する態様と、直線状に伸長させる態様と、に態様変更自在に設けられ任意の屈曲角度で上半支柱３Ａと下半支柱３Ｂとが固定される点が第１実施形態と異なり、他の部分は第１実施形態と同様の構成である。第２実施形態の噴霧機も１つの転動部２で下端側を支持して直状体となる直状体構造を構成する点は、第１実施形態と同様である。屈曲部７０は、下半支柱３Ｂと上半支柱３Ａの上下端部が嵌合状態で屈曲軸７２で枢支されて構成されている。そして、締結装置７４がこれらの屈曲部を締め付け、解除自在に設けられて任意の角度で上下半支柱を屈曲状態に保持させ、さらに伸張状態に復帰させる。実施形態では、締結装置７４は、ナットとボルトレバー式の締結装置が用いられているが、具体的な装置構成は任意である。実施形態において、操作子３２の上下動ストローク動作は屈曲部７０よりも下位位置で行なわれる。噴霧杆６は、図１２のように、格納閉着した状態でもノズル５から噴霧させることができる。例えば第１実施形態のように噴霧杆６を両側に扇形状に開いて噴霧させる対象作物は、スイカ、メロン等うり科植物や、いちご等のように地面に近い箇所で生長し結実させるものであるが、例えばトマトやなすのように立木状態で生育して結実させるものは、畝を移動しながら真横方向に噴霧するほうが作物への薬液散布の効率が良いものもある。この場合には、図１２のように、噴霧杆６を格納閉着して支柱３に平行状態に収束させて直状体としておき、その状態で、締着部材７２を緩めて上半支柱３Ａを前面ＦＲ側に任意の屈曲角度で固定し、機体を牽引しながら薬液噴霧させることができる。このように噴霧杆を閉鎖状態で牽引しても全体重量は例えば７キログラム以下程度であるから、Ｔ字状のハンドルを把持して確実に操作することができる。本実施形態の噴霧機では、スイカ等のように地面に対し低位置で成長する作物及び、トマト、なす等のように立ち木で成長作物のいずれにも兼用して噴霧作業を行なうことができる。特に、Ｌ字状に前面ＦＲ側に支柱３を屈曲して噴霧杆６を閉着して立てた状態で噴霧するときにも、噴霧位置から距離を隔てた位置でハンドル３３を把持して牽引できるから、立ち木作物の噴霧においても作業者が薬液吸引のおそれを極力なくするようにさせることができる。
【００２９】
本発明の噴霧機は、上記した実施形態の構成にのみ限定されるものではなく、特許請求の範囲に記載した発明の本質を逸脱しない範囲についての改変も本発明に含まれる。
【産業上の利用可能性】
【００３０】
本発明の噴霧機は、上記実施形態では、農業用ハウス内での噴霧に適用したが、それ以外の路地栽培での薬剤噴霧についても適用可能である。さらに、農薬等ばかりでなく、液体肥料の散布などにも有効に適用可能である。
【符号の説明】
【００３１】
１  噴霧機
２  転動部
３  支柱
４  本体フレーム
５  ノズル
６  噴霧杆
７  直状体構造
８  開閉操作機構
９  開閉駆動機構
１４  転動輪
２２  立位用スタンド
２８  ガイド
３０  ロッド
３２  操作子
３３  ハンドル
３４  薬液供給ホース
３６  第１リンクアーム
５０  第２リンクアーム
１００  農業用ハウス
【図１】
0005517055.tif 000002
【図２】
0005517055.tif 000003
【図３】
0005517055.tif 000004
【図４】
0005517055.tif 000005
【図５】
0005517055.tif 000006
【図６】
0005517055.tif 000007
【図７】
0005517055.tif 000008
【図８】
0005517055.tif 000009
【図９】
0005517055.tif 000010
【図１０】
0005517055.tif 000011
【図１１】
0005517055.tif 000012
【図１２】
0005517055.tif 000013